(57)【要約】【課題】  光ディスクの品質の劣化状態を検出して、光ディスクの品質のバラツキや光ディスクの取り扱い等により光ディスクの品質が劣化している場合に、光ディスクの劣化状態と推定残り記録可能回数とをユーザに知らせることができるようにする。【解決手段】  光ディスクに情報データを上書き記録して、光ディスクのＲＭＡに記録されている記録回数を更新し、光ディスクに上書き記録された情報データを再生してジッタを測定して、測定された光ディスクの記録回数に対するジッタを光ディスクに記録し、更新された光ディスクの記録回数が所定回数以上になったとき、光ディスクの記録回数に対するジッタから光ディスクの劣化推定式を算出し、算出された光ディスクの劣化推定式と当該ＭＩＤの光ディスクの平均品質劣化式とを比較して光ディスクの品質の劣化状態を判別して判別結果を表示するようにする。【選択図】        図３
2006196099.tif 000002
【特許請求の範囲】
【請求項１】
書き換え型光ディスクに情報データを記録再生するディスク装置であって、
光ディスクに情報データを上書き記録する第１の記録手段と、前記第１の記録手段により光ディスクに情報データが上書き記録されたとき、光ディスクのＲＭＡに記録されている記録回数に１を加算して、光ディスクの記録回数を更新する更新手段と、前記第１の記録手段により光ディスクに上書き記録された情報データを再生してジッタを測定する測定手段と、前記測定手段により測定された光ディスクの記録回数に対するジッタを光ディスクのＲＭＡに記録する第２の記録手段と、前記更新手段により更新された光ディスクの記録回数が少なくとも３回以上になったとき、光ディスクのＲＭＡに記録されているＭＩＤと記録回数に対するジッタとを読み出して、光ディスクの記録回数に対するジッタから光ディスクの劣化推定式を算出する算出手段と、前記算出手段により算出された光ディスクの劣化推定式の曲線が品質劣化境界線と交差する光ディスクの推定残り記録可能回数と当該ＭＩＤの光ディスクの平均品質劣化式の曲線が品質劣化境界線と交差する光ディスクの記録回数とを比較して、光ディスクの残り記録可能回数を推定し、光ディスクの品質の劣化状態を判別する判別手段と、前記判別手段により判別された光ディスクの品質の劣化状態と推定残り記録可能回数とを表示する表示手段とを備えたことを特徴とするディスク装置。
【請求項２】
書き換え型光ディスクに情報データを記録再生するディスク装置であって、
光ディスクに情報データを上書き記録する第１の記録手段と、前記第１の記録手段により光ディスクに情報データが上書き記録されたとき、光ディスクのＲＭＡに記録されている記録回数に１を加算して、光ディスクの記録回数を更新する更新手段と、前記第１の記録手段により光ディスクに上書き記録された情報データを再生してジッタを測定する測定手段と、前記測定手段により測定された光ディスクの記録回数に対するジッタを光ディスクのＲＭＡに記録する第２の記録手段と、前記更新手段により更新された光ディスクの記録回数が所定回数以上になったとき、光ディスクのＲＭＡに記録されているＭＩＤと記録回数に対するジッタとを読み出して、光ディスクの記録回数に対するジッタから光ディスクの劣化推定式を算出する算出手段と、前記算出手段により算出された光ディスクの劣化推定式と当該ＭＩＤの光ディスクの平均品質劣化式とを比較して、光ディスクの品質の劣化状態を判別する判別手段と、前記判別手段の判別結果を表示する表示手段とを備えたことを特徴とするディスク装置。
【請求項３】
前記算出手段は、前記更新手段により更新された光ディスクの記録回数が少なくとも３回以上になったとき、光ディスクのＲＭＡに記録されているＭＩＤと記録回数に対するジッタとを読み出して、光ディスクの記録回数に対するジッタから光ディスクの劣化推定式を算出する算出手段であることを特徴とする請求項２記載のディスク装置。
【請求項４】
前記判別手段は、前記算出手段により算出された光ディスクの劣化推定式の曲線が品質劣化境界線と交差する光ディスクの推定残り記録可能回数と当該ＭＩＤの光ディスクの平均品質劣化式の曲線が品質劣化境界線と交差する光ディスクの記録回数とを比較して、光ディスクの残り記録可能回数を推定し、光ディスクの品質の劣化状態を判別する判別手段であることを特徴とする請求項２記載のディスク装置。
【請求項５】
前記表示手段は、前記判別手段により判別された光ディスクの品質の劣化状態と推定残り記録可能回数とを表示する表示手段であることを特徴とする請求項２記載のディスク装置。
【発明の詳細な説明】
【技術分野】
【０００１】
本発明は、ＤＶＤ−ＲＷ（Ｄｉｇｉｔａｌ  Ｖｅｓａｔｉｌｅ  Ｄｉｓｃ−ＲｅＷｒｉｔａｂｌｅ）等の書き換え型光ディスクに情報データを記録再生するディスク装置に係り、特に書き換え型光ディスクの記録品質の劣化状態と推定残り記録可能回数とをユーザに知らせることができるディスク装置に関する。
【背景技術】
【０００２】
一般に、ＤＶＤ−ＲＷ等の書き換え型光ディスクは、規格上では１０００回以上情報データを書き換えることができることになっている。しかし、光ディスクの品質のバラツキや光ディスクの取り扱い等により実際に書き換えできる記録回数にバラツキがあり、規格上の１０００回以上の書き換えができない場合がある。光ディスクの品質が劣化していても、光ディスクの劣化状態がユーザにはわからず、そのような品質が劣化した光ディスクに所望のテレビ放送番組を予約録画した場合、予約録画したテレビ放送番組を再生したときに、そのテレビ放送番組が正常に再生されず、ユーザがそのテレビ放送番組を視聴することができないという問題点があった。
背景技術としては、磁気記録媒体を使用する毎に、トラック毎の累積エラー、エラー発生頻度、エラー発生の加速度の情報を記憶し、記憶されているそれらの情報と予め設定されたそれらの情報とを比較して、磁気記録媒体の寿命を推定して警告するようにしたものがあった（例えば、特許文献１参照）。
また、磁気記録媒体に記録された信号を磁気ヘッドにより読み出し、読み出された再生信号の電圧と予め設定された基準電圧とを比較して、読み出された再生信号の電圧が予め設定された基準電圧以下である場合に、磁気記録媒体の劣化を知らせるようにしたものがあった（例えば、特許文献２参照）。
また、ディスク状記録媒体への記録動作時に、ＡＴＩＰ（Ａｂｓｏｌｕｔｅ  Ｔｉｍｅ  Ｉｎ  Ｐｒｅｇｒｏｏｖｅ）のアドレス読み取りエラーが所定フレーム以上に亘って連続して検出された場合、ディスク状記録媒体の劣化を警告表示するようにしたものがあった（例えば、特許文献３参照）。
また、データ読み込み時に、修復不能なＥＣＣ（Ｅｒｒｏｒ  Ｃｏｒｒｅｃｔｉｏｎ  Ｃｏｄｅ）エラーが同一トラック上に連続して存在した場合、或いは、修復不能なＥＣＣエラーが連続したトラック上に所定以上存在した場合、磁気ディスク装置の寿命であると判定するようにしたものがあった（例えば、特許文献４参照）。
【特許文献１】特開昭５６−１６５９７６号公報
【特許文献２】特開昭６２−５１０７５号公報
【特許文献３】特開２００４−２２１３６号公報
【特許文献４】特開２００１−６０３７０号公報
【発明の開示】
【発明が解決しようとする課題】
【０００３】
しかしながら、背景技術で述べたもののうち最初のものにおいては、磁気記録媒体を使用する毎に、トラック毎の累積エラー、エラー発生頻度、エラー発生の加速度の情報を記憶し、記憶されているそれらの情報と予め設定されたそれらの情報とを比較して、磁気記録媒体の寿命を推定して警告することができたが、磁気記録媒体のトラック毎の読み書きエラーの発生状況に応じて磁気記録媒体の寿命を推定するようにしたものであって、上記問題点を解決するようにしたものではなかった。
また、次のものにおいては、磁気記録媒体に記録された信号を磁気ヘッドにより読み出し、読み出された再生信号の電圧と予め設定された基準電圧とを比較して、読み出された再生信号の電圧が予め設定された基準電圧以下である場合に、磁気記録媒体の劣化を知らせることができたが、磁気記録媒体の劣化により再生信号の信号レベルが低下した場合に、磁気記録媒体の寿命と推定するようにしたものであって、上記問題点を解決するようにしたものではなかった。
また、更にその次のものにおいては、ディスク状記録媒体への記録動作時に、ＡＴＩＰのアドレス読み取りエラーが所定のフレーム以上に亘って連続して検出された場合、ディスク状記録媒体の劣化を警告表示することができたが、ディスク状記録媒体のＡＴＩＰのアドレス読み取りエラーが連続したフレームで発生したとき、ディスク状記録媒体の交換をユーザに促すようにしたものであって、上記問題点を解決するようにしたものではなかった。
また、更にその次のものにおいては、データ読み込み時に、修復不能なＥＣＣエラーが同一トラック上に連続して存在した場合、或いは、修復不能なＥＣＣエラーが連続したトラック上に所定以上存在した場合、磁気ディスク装置の寿命であると判定することができたが、磁気ディスク装置の寿命到達時に、磁気ディスク装置の交換を通知するようにしたものものであって、上記問題点を解決するようにしたものではなかった。
本発明は、背景技術の有するこのような問題点に鑑みてなされたものであり、その目的とするところは、光ディスクの品質の劣化状態を検出して、光ディスクの品質のバラツキや光ディスクの取り扱い等により光ディスクの品質が劣化している場合に、光ディスクの劣化状態と推定残り記録可能回数とをユーザに知らせることができるディスク装置を提供しようとするものである。
【課題を解決するための手段】
【０００４】
上記目的を達成するため本発明においては、書き換え型光ディスクに情報データを記録再生するディスク装置であって、光ディスクに情報データを上書き記録する第１の記録手段と、前記第１の記録手段により光ディスクに情報データが上書き記録されたとき、光ディスクのＲＭＡに記録されている記録回数に１を加算して、光ディスクの記録回数を更新する更新手段と、前記第１の記録手段により光ディスクに上書き記録された情報データを再生してジッタを測定する測定手段と、前記測定手段により測定された光ディスクの記録回数に対するジッタを光ディスクのＲＭＡに記録する第２の記録手段と、前記更新手段により更新された光ディスクの記録回数が所定回数以上になったとき、光ディスクのＲＭＡに記録されているＭＩＤと記録回数に対するジッタとを読み出して、光ディスクの記録回数に対するジッタから光ディスクの劣化推定式を算出する算出手段と、前記算出手段により算出された光ディスクの劣化推定式と当該ＭＩＤの光ディスクの平均品質劣化式とを比較して、光ディスクの品質の劣化状態を判別する判別手段と、前記判別手段の判別結果を表示する表示手段とを備える。
前記算出手段は、前記更新手段により更新された光ディスクの記録回数が少なくとも３回以上になったとき、光ディスクのＲＭＡに記録されているＭＩＤと記録回数に対するジッタとを読み出して、光ディスクの記録回数に対するジッタから光ディスクの劣化推定式を算出するようにするとよい。
前記判別手段は、前記算出手段により算出された光ディスクの劣化推定式の曲線が品質劣化境界線と交差する光ディスクの推定残り記録可能回数と当該ＭＩＤの光ディスクの平均品質劣化式の曲線が品質劣化境界線と交差する光ディスクの記録回数とを比較して、光ディスクの残り記録可能回数を推定し、光ディスクの品質の劣化状態を判別するようにするとよい。
前記表示手段は、前記判別手段により判別された光ディスクの品質の劣化状態と推定残り記録可能回数とを表示するようにするとよい。
これらの手段により、光ディスクの品質の劣化状態を検出して、光ディスクの品質のバラツキや光ディスクの取り扱い等により光ディスクの品質が劣化している場合に、光ディスクの劣化状態と推定残り記録可能回数とをユーザに知らせることができる。
【発明の効果】
【０００５】
請求項１記載の発明に係るディスク装置によれば、光ディスクに情報データを上書き記録し、光ディスクに情報データが上書き記録されたとき、光ディスクのＲＭＡに記録されている記録回数に１を加算して、光ディスクの記録回数を更新し、光ディスクに上書き記録された情報データを再生してジッタを測定して、測定された光ディスクの記録回数に対するジッタを光ディスクのＲＭＡに記録し、光ディスクの記録回数が少なくとも３回以上になったとき、光ディスクのＲＭＡに記録されているＭＩＤと記録回数に対するジッタとを読み出して、光ディスクの記録回数に対するジッタから光ディスクの劣化推定式を算出し、算出された光ディスクの劣化推定式の曲線が品質劣化境界線と交差する光ディスクの推定残り記録可能回数と当該ＭＩＤの光ディスクの平均品質劣化式の曲線が品質劣化境界線と交差する光ディスクの記録回数とを比較して、光ディスクの残り記録可能回数を推定して光ディスクの品質の劣化状態を判別し、光ディスクの品質の劣化状態と推定残り記録可能回数とを表示するようにしているので、光ディスクの品質の劣化状態を検出して、光ディスクの品質のバラツキや光ディスクの取り扱い等により光ディスクの品質が劣化している場合に、光ディスクの劣化状態と推定残り記録可能回数とをユーザに知らせることができる。
請求項２記載の発明に係るディスク装置によれば、光ディスクに情報データを上書き記録し、光ディスクに情報データが上書き記録されたとき、光ディスクのＲＭＡに記録されている記録回数に１を加算して、光ディスクの記録回数を更新して、光ディスクに上書き記録された情報データを再生してジッタを測定し、測定された光ディスクの記録回数に対するジッタを光ディスクのＲＭＡに記録して、更新された光ディスクの記録回数が所定回数以上になったとき、光ディスクのＲＭＡに記録されているＭＩＤと記録回数に対するジッタとを読み出して、光ディスクの記録回数に対するジッタから光ディスクの劣化推定式を算出し、算出された光ディスクの劣化推定式と当該ＭＩＤの光ディスクの平均品質劣化式とを比較して、光ディスクの品質の劣化状態を判別し、判別結果を表示するようにしているので、光ディスクの品質の劣化状態を検出して、光ディスクの品質のバラツキや光ディスクの取り扱い等により光ディスクの品質が劣化している場合に、光ディスクの劣化状態と推定残り記録可能回数とをユーザに知らせることができる。
請求項３記載の発明に係るディスク装置によれば、光ディスクの記録回数が少なくとも３回以上になったとき、光ディスクのＲＭＡに記録されているＭＩＤと記録回数に対するジッタとを読み出して、光ディスクの記録回数に対するジッタから光ディスクの劣化推定式を算出するようにしているので、光ディスクの劣化推定式を２次関数以上の数式で算出して、算出された光ディスクの劣化推定式により光ディスクの劣化状態をより精度よく推定することができる。
請求項４記載の発明に係るディスク装置によれば、光ディスクの劣化推定式の曲線が品質劣化境界線と交差する光ディスクの推定残り記録可能回数と当該ＭＩＤの光ディスクの平均品質劣化式の曲線が品質劣化境界線と交差する光ディスクの記録回数とを比較し、光ディスクの残り記録可能回数を推定して光ディスクの品質の劣化状態を判別するようにしているので、光ディスクの品質の劣化状態を検出して、光ディスクの品質のバラツキや光ディスクの取り扱い等により光ディスクの品質が劣化している場合に、光ディスクの劣化状態と推定残り記録可能回数とをユーザに知らせることができる
請求項５記載の発明に係るディスク装置によれば、光ディスクの品質の劣化状態と推定残り記録可能回数とを表示するようにしているので、光ディスクの劣化状態と推定残り記録可能回数とをユーザに知らせることができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は光ディスクの各領域を示す説明図であり、図３は光ディスクの記録回数に対するジッタを示す説明図であり、図４は本発明の一実施例のディスク装置の動作を示すフローチャートである。
まず、図１の本発明の一実施例のディスク装置の構成を示すブロック図を基に説明する。
ディスク装置１は、光ディスク２の記録面にレーザ光を照射して情報データを光ディスク２に記録するとともに、光ディスク２にレーザ光を照射してその反射光を検出して光ディスク２に記録された情報データを読み出す光ピックアップ３と、光ディスク２を回転させるスピンドルモータ４と、光ピックアップ３を光ディスク２の半径方向に移動させるスレッドモータ５と、スピンドルモータ４の回転速度をサーボ制御し、スレッドモータ５の回転方向と回転速度とをサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された情報データのＲＦ（Ｒａｄｉｏ  Ｆｒｅｑｕｅｎｃｙ）信号を増幅するとともに、光ディスク２に記録する情報データのＲＦ信号を増幅するＲＦ増幅回路７と、アンテナ１５により受信されたテレビ放送電波から選択されたチャンネルのテレビ放送番組を受信するチューナ８と、光ピックアップ３により読み出された情報データを基準クロックに基づいて同期検出して復調し、復調された情報データの誤りを訂正して、所定の圧縮方式に基づいて圧縮された情報データを伸張し、復号して情報データ再生するとともに、チューナ８により受信されたテレビ放送番組の情報データ、外部入力端子１６から入力された情報データを符号化して、符号化された情報データを所定の圧縮方式に基づいて圧縮する信号処理回路９と、文字情報信号を映像信号に重畳して、モニタ装置３０の画面に文字情報を表示するＯＳＤ（Ｏｎ−Ｓｃｒｅｅｎ  Ｃｈａｒａｃｔｅｒ  Ｄｉｓｐｌａｙ）回路１０と、ディスク装置１のシステム全体を制御するマイコン１１と、ディスク装置のファームウェア等を記憶するフラッシュＲＯＭ（Ｒｅａｄ−Ｏｎｌｙ  Ｍｅｍｏｒｙ）１２と、光ディスク２のタイトル情報、トラック情報、時計等を表示する表示部１３と、リモコン装置２０から送信された赤外線信号のリモコン信号を受信して、所定の電気信号に変換するリモコン受信部１４とで構成されている。
以上のように構成されたディスク装置について、以下その動作について説明する。
光ディスク２への情報データの記録が指令されると、マイコン１１は、サーボ回路６に制御信号を送出して、スピンドルモータ４を駆動して光ディスク２を回転させ、スレッドモータ５を駆動して光ピックアップ３を光ディスク２の半径方向に移動させ、光ピックアップ３により光ディスク２のデータ記録領域２ｃ（図２参照）に情報データを上書き記録する。
光ディスク２への情報データの上書き記録が終了すると、マイコン１１は、サーボ回路６に制御信号を送出して、スピンドルモータ４を駆動して光ディスク２を回転させ、スレッドモータ５を駆動して光ピックアップ３を光ディスク２の半径方向に移動させ、光ピックアップ３により光ディスク２のデータ記録領域２ｃ（図２参照）に上書き記録した情報データを再生して、再生された情報データの再生信号の２値化信号のジッタを測定して、サーボ回路６に制御信号を送出して、スピンドルモータ４を駆動して光ディスク２を回転させ、スレッドモータ５を駆動して光ピックアップ３を光ディスク２の半径方向に移動させ、光ディスク２のＲＭＡ（Ｒｅｃｏｒｄｉｎｇ  Ｍａｎａｇｅｍｅｎｔ  Ａｒｅａ）２ａ（図２参照）に記憶されている光ディスク２の記録回数に１を加算して光ディスクの記録回数を更新して、測定された光ディスク２の記録回数に対するジッタを光ディスクのＲＭＡ２ａ（図２参照）に記録する。
光ディスク２の記録回数が所定回数以上、例えば、光ディスクの劣化推定式を２次関数以上の式で表すことができる少なくとも３回以上になると、マイコン１１は、サーボ回路６に制御信号を送出して、スピンドルモータ４を駆動して光ディスク２を回転させ、スレッドモータ５を駆動して光ピックアップ３を光ディスク２の半径方向に移動させ、光ピックアップ３により光ディスク２のＲＭＡ２ａ（図２参照）に記録されているＭＩＤ（Ｍａｎｕｆａｃｔｕｒｅｒ  ＩＤ）と光ディスク２の記録回数に対するジッタとを読み出して、光ディスク２の記録回数に対するジッタから光ディスクの劣化推定式を算出して、算出された光ディスクの劣化推定式の曲線が品質劣化境界線と交差する光ディスクの推定残り記録可能回数と当該ＭＩＤの光ディスクの平均品質劣化式の曲線が品質劣化境界線と交差する光ディスクの記録回数とを比較して（図３参照）、光ディスクの残り記録可能回数を推定し、光ディスクの品質の劣化状態を判別する。
光ディスクの劣化推定式の曲線が品質劣化境界線と交差する光ディスクの推定残り記録可能回数と当該ＭＩＤの光ディスクの平均品質劣化式の曲線が品質劣化境界線と交差する光ディスクの記録回数とを比較して（図３参照）、光ディスクの残り記録可能回数を推定し、光ディスクの品質の劣化状態を判別して、光ディスク２の品質が劣化している場合、光ディスクの品質の劣化状態と推定残り記録可能回数とをモニタ装置３０の画面に表示する（図示せず）。これにより、光ディスクの品質の劣化状態を検出して光ディスクの品質のバラツキや光ディスクの取り扱い等により書き換え記録できる記録回数が規格上の記録可能回数より低下している場合に、光ディスクの品質の劣化状態がユーザに知らせることができるため、ユーザが光ディスクの品質の劣化しているか否かを容易に知ることができる。
また、図４の本発明の一実施例のディスク装置の動作を示すフローチャートを基に説明する。
光ディスクへの情報データの記録が指令されると、ステップＳ１からステップＳ２に進み、ステップＳ２で、光ディスクのデータ記録領域に情報データが上書き記録され、ステップＳ３に進む。
ステップＳ３で、情報データの記録が終了したか否かが判断され、情報データの記録が終了した場合、ステップＳ４に進み、情報データの記録が終了していない場合、ステップＳ２に戻って、ステップＳ２からのステップを繰り返す。
ステップＳ４で、光ディスクのデータ記録領域に上書き記録された情報データが再生されて、再生信号の２値化信号のジッタが測定され、光ディスクのＲＭＡに記録されている記録回数に１が加算されて、光ディスクの記録回数が更新され、光ディスクの記録回数に対するジッタが光ディスクのＲＭＡに記録されて、ステップＳ５に進む。
ステップＳ５で、光ディスクの記録回数が所定回数以上になったか否かが判断され、光ディスクの記録回数が所定回数以上になった場合、ステップＳ６に進み、光ディスクの記録回数が所定回数以上になっていない場合、ステップＳ９に進んで処理を終了する。
ステップＳ６で、光ディスクのＲＭＡに記録されているＭＩＤと記録回数に対するジッタとが読み出されて、光ディスクの記録回数に対するジッタから光ディスクの劣化推定式が算出され、算出された光ディスクの劣化推定式の劣化推定曲線とメモリに記憶されているディスク装置１のファームウェア設計時に測定されたそのＭＩＤの光ディスクの平均品質劣化式の平均品質劣化曲線とが比較されて、光ディスクの記録回数に対するジッタから光ディスクの推定残り記録可能回数が推定され、光ディスクの品質が劣化しているか否かが判断されて、光ディスクの品質が劣化している場合、ステップＳ７に進み、光ディスクの品質が劣化していない場合、ステップＳ９に進んで処理を終了する。
ステップＳ７で、光ディスクの品質の劣化状態と推定残り記録可能回数とがモニタ装置の画面に表示され、ステップＳ９に進んで処理を終了する。
以上、本発明を実施するための最良の形態について詳述したが、本発明はこれに限定されるものではなく、当業者の通常の知識の範囲内でその変形や改良が可能であることはいうまでもない。例えば、光ディスクの記録回数に対するジッタを測定して光ディスクの品質の劣化状態を判別することを説明したが、光ディスクの記録回数に対するエラーレートを測定して光ディスクの品質の劣化状態を判別するようにしてもよい。
【図面の簡単な説明】
【０００７】
【図１】本発明の一実施例のディスク装置の構成を示すブロック図である。
【図２】光ディスクの各領域を示す説明図である。
【図３】光ディスクの記録回数に対するジッタを示す説明図である。
【図４】本発明の一実施例のディスク装置の動作を示すフローチャートである。
【符号の説明】
【０００８】
１  ディスク装置
２  光ディスク
２ａ  ＲＭＡ
２ｂ  リードイン領域
２ｃ  データ記録領域
２ｄ  リードアウト領域
３  光ピックアップ
４  スピンドルモータ
５  スレッドモータ
６  サーボ回路
７  ＲＦ増幅回路
８  チューナ
９  信号処理回路
１０  ＯＳＤ回路
１１  マイコン
１２  フラッシュＲＯＭ
１３  表示部
１４  リモコン受信部
１５  アンテナ
１６  外部入力端子
２０  リモコン装置
３０  モニタ装置
【図１】
2006196099.tif 000003
【図２】
2006196099.tif 000004
【図３】
2006196099.tif 000005
【図４】
2006196099.tif 000006